(57)【要約】【課題】空転時の引き摺りトルクは小さく保たれ、係合初期の食い付きは防止される湿式多板クラッチのフリクションプレートを得る。【解決手段】図において、４０はフリクションプレート、４１はコアプレート、４２は摩擦材のセグメントピース、４３はスプライン歯、５１は内径側に開口する第１の油溝、５２はその端部、６１は外径側に開口する第２の油溝、６２はその端部をそれぞれ示している。図示の例では、第２の油溝６１の側面側の辺６３に凸部７１が設けられ第２の油溝の開口部を狭くしている。このように構成することにより、クラッチ係合初期に第２の油溝の油が外径側に排出されるとき、狭められた開口部を通過する油に流体抵抗が生じ、これがクッションの効果を奏して食い付きが防止される。【選択図】図３
2008196535.tif 000002
【特許請求の範囲】
【請求項１】
フリクションプレートの内径側に開口し、摩擦材の途中に端部を有する第１の油溝（以下第１の油溝と称する。）と、外径側に開口し、摩擦材の途中に端部を有する第２の油溝（以下第２の油溝と称する。）とを持った摩擦材のセグメントピースが円周方向に間隔を持って接着されている湿式多板クラッチのフリクションプレートにおいて、
第２の油溝は開口部から端部に向かってその幅が狭くなる形状を有し、その開口部において、溝幅を狭くしてあることを特徴とする湿式多板クラッチのフリクションプレート。
【請求項２】
前記第２の油溝の開口部の一方の面に凸部が形成されていて、開口部の溝幅を狭くしていることを特徴とする請求項１記載のフリクションプレート。
【請求項３】
第１の油溝及び第２の油溝の端部は、摩擦材の径方向の中央部を越えて位置していることを特徴とする請求項１記載のフリクションプレート。
【発明の詳細な説明】
【技術分野】
【０００１】
この発明は自動変速機のクラッチやブレーキに使用される湿式多板クラッチのフリクションプレートに関する。
【背景技術】
【０００２】
図１は湿式多板クラッチの基本的な構成を示す断面図であって、図において、１０は湿式多板クラッチ、２１はクラッチケース、２２は動力を伝達する相手側のハブ、２３はクラッチケースのスプライン溝、２４はハブのスプライン溝、２５はセパレータプレート３０とフリクションプレート４０をバッキングプレート２６に押圧するピストン、２７はバッキングプレートを支持するスナップリング、２８はピストンの封止リングをそれぞれ表している。
【０００３】
近年、自動車の低燃費の要求はますます増大しており、自動変速機においても、クラッチの空転時におけるフリクションプレートとセパレータプレートとの間の引き摺りトルクの低減が一層求められている。
【０００４】
従来空転時の引き摺りトルクの低減のため、フリクションプレートとセパレータプレートを引き離すように、端面の閉じた油溝と、クラッチ係合時における摩擦面への潤滑油の供給による焼き付き防止のための油供給用の内外径方向に貫通した油通路とがフリクションプレートに設けられている。
【０００５】
しかし最近燃費向上と同時に、動力性能向上をねらいとしての変速応答性向上のため、フリクションプレートとセパレータプレートの間のクリアランスは従来に比較して一層小さくなっており、空転時において介在する油膜による引き摺りトルクもますます大きくなる傾向にある。
【０００６】
従来のフリクションプレートでは、摩擦面における油の排出が十分になされないことにより、引き摺りトルクをより低減させるという要求に満足に応えられず、特に低域の回転時においては、フリクションプレートとセパレータプレートとの間に介在する油の排出が十分でなく、引き摺りトルクを小さくすることができなかった。
【０００７】
内径側から供給される油は摩擦面に引き込まれ、引き込まれた油はフリクションプレートとセパレータプレートの間に入ると、なかなか排出されず、特にフリクションプレートとセパレータプレート間のクリアランスの小さな、回転数の小さな領域では顕著であり、摩擦材と相手側セパレータプレート間の粘性による引き摺りトルクは大きなものとなる。
【０００８】
このため摩擦材面に外径側に開口する油溝（以下第２の油溝と称する。）を設けると、油通路から摩擦面に引き込まれた油がスムースに外径側に排出され、空転時において引き摺りトルクの低減が可能になる。特に低回転時では、その効果は大きい。また引き込まれた油がスムースに排除されるため、係合時に生ずる摩擦熱も油と一緒にスムースに排除され摩擦材の耐熱性が向上する。
【０００９】
また内径側に開口して端部が閉じている油溝（以下第１の油溝と称する。）は、フリクションプレートとセパレータプレートのクリアランスを均一にする効果と、クラッチが解除されるときスムースに引き離し、空転時の引き摺りトルク低減の効果などがある。
【００１０】
そしてこれらの油溝を持った摩擦材のセグメントピースを円周方向に間隔を持って接着することによりセグメントピース間に内外径に連通する油通路が形成され、これにより供給される余分の潤滑油は油通路から排除され、空転時の引き摺りトルクの低減には大きな効果がある。
【００１１】
しかし係合初期において、摩擦面に存在する油がこれらの油溝や油通路により急激に摩擦面から排除されるため油のクッション効果が低減され、係合初期においてクラッチの食い付きが発生する。
【特許文献１】特開平１１−１４１５７０号公報
【特許文献２】特開２００５−７６７５９号公報
【発明の開示】
【発明が解決しようとする課題】
【００１２】
前述の如く従来の装置では、クラッチの係合初期に、油が急激に摩擦面から排除されるので、油のクッション効果が低減され、食い付きが発生する。自動変速機のクラッチまたはブレーキに使用された場合は変速ショックを生ずるという不具合を免れない。
【課題を解決するための手段】
【００１３】
この発明は前記の課題を解決するために、「フリクションプレートの内径側に開口し、摩擦材の途中に端部を有する第１の油溝と、外径側に開口し、摩擦材の途中に端部を有する第２の油溝とを持った摩擦材のセグメントピースが円周方向に間隔を持って接着されている湿式多板クラッチのフリクションプレートにおいて、第２の油溝は開口部から端部に向かってその幅が狭くなる形状を有し、その開口部において、溝幅を狭くしてあることを特徴とするフリクションプレート。」を得たものである。
【発明の効果】
【００１４】
この発明のフリクションプレートをクラッチに使用することにより、空転時の引き摺りトルクを低減するとともに、係合初期の食い付きを防止し、変速機に使用した場合の変速ショックを避けることができるものである。
【発明を実施するための最良の形態】
【００１５】
外径側に開口している第２の油溝は、外径側に向かい幅が大きくなる形状にすれば、油排除性は増加する。内径側に開口している第１の油溝は開口部から端部に向かって幅を狭くすると、相対するプレートを引き離す効果が増大する。
【００１６】
油溝や油通路については、摩擦面積や、摩擦特性、供給油量などに合わせ種々の形状が考えられる。
【実施例】
【００１７】
図２はこの発明の第１実施例の正面図、図３は図２の要部拡大図であって、４０はフリクションプレート、４１はコアプレート、４２は摩擦材のセグメントピース、４３はハブと嵌合するスプライン歯、５１は内径側に開口する第１の油溝（以下第１の油溝と称する。）、５２はその端部、６１は外径側に開口する第２の油溝（以下第２の油溝と称する。）、６２はその端部をそれぞれ表している。
【００１８】
第１の油溝５１、第２の油溝６１ともその端部５２、６２から開口側に向かって幅が大きくなっている。また端部５２、６２はともに摩擦材の径方向の中央部を越えているところに位置している。。
【００１９】
この発明では第２の油溝の開口部の幅を狭くすることにより、クラッチ係合時に、第２の油溝にある油が外径側に排出される際、開口部が狭くなっているので、開口部を通過する油に流体抵抗が生じ、これがクッション効果を生じ初期の食い付きが防止されるものである。
【００２０】
図２、図３に示す例では、セグメントピース４２が、第１、第２の油溝５１、６１によってアルファベットのＷの形をしているとき、両側の第２の油溝６１の外側の辺６３に開口部において凸部７１が形成されていて、開口部を狭めている。
【００２１】
図４に示す別な実施例では、セグメントピース４２が同様にＷの形をしているとき、第２の油溝６１の図３の場合とは反対側の中央の方の辺６４に開口部において凸部７１が設けられている。凸部７１は第２の油溝６１の開口部の両側の辺に設けてもよいが、一方の側にのみ設けた方が空転時の油排出の効果を損なうことなく、引き摺りトルクを小さくでき、また係合時にはクッション効果も有効に出すことができ、係合初期の食い付きを防止するフリクションプレートとすることが可能である。
【００２２】
第２の油溝６１はその開口部が凸部７１により狭められているので、クラッチ係合時に第２の油溝にある油が外径側に排出される際に、狭められている開口部を通過する油に流体抵抗が生じ、これがクッション効果を奏し係合初期の食い付きが防止される。
【００２３】
図５はこの発明の効果を表す線図であって、たて軸にトルクＴ、よこ軸に時間ｔをとっている。破線Ｂは従来の装置の場合を示し係合初期に食い付きが生じている。実線Ａはこの発明の場合であって、トルクが平均に分布していることを表している。
【産業上の利用可能性】
【００２４】
この発明によって、多くの潤滑油が供給される潤滑環境においても、空転時の引き摺りトルクを小さく保ちながら、係合初期の食い付きが防止できる湿式多板クラッチを得ることができた。
【図面の簡単な説明】
【００２５】
【図１】湿式多板クラッチの基本構成を示す断面図
【図２】この発明の実施例を示す正面図
【図３】図２の要部拡大図
【図４】別な実施例の図３と同様な図
【図５】この発明の効果を示す線図
【符号の説明】
【００２６】
１０  湿式多板クラッチ
２１  クラッチケース
２２  ハブ
２３  クラッチケースのスプライン溝
２４  ハブのスプライン溝
２５  ピストン
２６  バッキングプレート
２７  スナップリング
２８  封止リング
３０  セパレータプレート
４０  フリクションプレート
４１  コアプレート
４２  セグメントピース
４３  スプライン歯
５１  第１の油溝
５２  端部
６１  第２の油溝
６２  端部
６３  外側の辺
６４  中央の辺
７１  凸部
【図１】
2008196535.tif 000003
【図２】
2008196535.tif 000004
【図３】
2008196535.tif 000005
【図４】
2008196535.tif 000006
【図５】
2008196535.tif 000007